【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
静止画像又は動画像の記録を行って該記録された画像の再生を行う記録再生部を備える記録再生装置において、
操作子を備える操作部と、
当該記録再生装置の現在の動作状態を示す識別図形を操作内容表示領域の中央に表示させ、該現在の動作状態を示す識別図形の周辺に、記録又は再生の動作内容が割り当てられた案内表示としての識別図形を複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成する
記録再生装置。
【請求項２】
前記操作子は、少なくとも４つの操作方向に対する操作を行える
請求項１記載の記録再生装置。
【請求項３】
表示部を備え、
前記制御部は、前記出力部で生成された表示信号に基づいて前記操作内容表示領域を表示部に表示させる
請求項１記載の記録再生装置。
【請求項４】
記録再生装置において、
前記記録又は再生の動作内容を示す識別図形は、記録又は再生の時系列順、又は、記録又は再生の速度順に前記操作内容表示領域の中央を通る直線上に配置されており、前記操作子からの操作信号に応じて記録又は再生の時間軸の方向及び速度が切り替わる
請求項１記載の記録再生装置。
【請求項５】
静止画像又は動画像の再生を行う再生部を備える再生装置において、
操作子を備える操作部と、
当該再生装置の現在の動作状態を示す識別図形を操作内容表示領域の中央に表示させ、該現在の動作状態を示す識別図形の周辺に、再生の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特別の識別図形に対応する動作を前記再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成する
再生装置。
【請求項６】
静止画像又は動画像の記録を行う記録部を備える記録再生装置において、
操作子を備える操作部と、
当該記録装置の現在の動作状態を示す識別図形を操作内容表示領域の中央に表示させ、該現在の動作状態を示す識別図形の周辺に、記録の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成する
記録装置。
【請求項７】
静止画像又は動画像の撮像を行う撮像部と、該撮像部で撮像された画像の記録を行って該記録された画像の再生を行う記録再生部とを備える撮像記録再生装置において、
操作子を備える操作部と、
当該撮像記録再生装置の現在の動作状態を示す識別図形を操作内容表示領域の中央に表示させ、該現在の動作状態を示す識別図形の周辺に、記録又は再生の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録部又は前記再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成する
撮像記録再生装置。
【請求項８】
静止画又は動画像の撮像を行って該撮像した画像の記録又は再生を行う場合に、該記録又は再生の操作内容を表示する操作内容表示方法において、
装置の現在の動作状態を示す識別図形を操作内容表示領域の中央に表示させ、該現在の動作状態を示す識別図形の周辺に、記録又は再生の動作内容が割り当てられた案内表示としての識別図形を複数表示させ、
前記案内表示としての識別図形のうち、特定の識別図形が選択された場合に、該選択された特定の識別図形に対応する動作を行わせ、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる
操作内容表示方法。
【手続補正２】
【補正対象書類名】明細書
【補正対象項目名】発明の名称
【補正方法】変更
【補正の内容】
【発明の名称】記録再生装置、再生装置、記録装置、撮像記録再生装置及び操作内容表示方法
【手続補正３】
【補正対象書類名】明細書
【補正対象項目名】０００１
【補正方法】変更
【補正の内容】
【０００１】
本発明は、記録、再生、停止などの操作内容を所定の操作内容表示領域に表示する場合に適用して好適な記録再生装置、再生装置、記録装置、撮像記録再生装置及び操作内容表示方法に関する。
【手続補正４】
【補正対象書類名】明細書
【補正対象項目名】０００８
【補正方法】変更
【補正の内容】
【０００８】
本発明は、静止画像又は動画像を記録又は再生する場合に、記録再生装置の現在の動作状態を示す識別図形を所定の操作内容表示領域の中央に表示させ、現在の動作状態を示す識別図形の周辺に、記録又は再生の動作の種類が割り当てられた案内表示としての識別図形を複数表示させ、案内表示としての識別図形のうち特定の識別図形が選択された場合に、選択された特別の識別図形に対応する動作を記録再生部に行わせ、選択された識別図形を現在の動作状態を示す識別図形として操作内容表示領域の中央に移動させ、操作内容表示領域の中央に表示されていた識別図形を、選択された識別図形が移動した移動方向と同じ移動方向に移動させるようにしたものである。
【手続補正５】
【補正対象書類名】明細書
【補正対象項目名】００４４
【補正方法】変更
【補正の内容】
【００４４】
また、ここまで説明した実施の形態では、十字キーに割り当てられた操作が上下左右のいずれかの方向の先に存在しない状態となった場合には、何も表示しないようにしてあるが、図１０に示されるように、進入禁止のアイコンなどを表示させ、これ以上その方向にキーを押下しても操作内容が変化しないことを分かり易く示すようにしてもよい。